(57)【特許請求の範囲】
【請求項１】
基礎コンクリートに固定可能なベース板部と、
前記ベース板部の一端から前記基礎コンクリート上に打設する擁壁の擁壁型枠と対向するように延出して前記擁壁型枠に取り付けたばた材に当接させて、前記擁壁型枠との間で前記ばた材を斜め上方から挟む押え板部と、
を備えたことを特徴とする擁壁型枠の固定金物。
【請求項２】
前記ベース板部と前記押え板部の間の成す角を鈍角にしていることを特徴とする請求項１に記載の擁壁型枠の固定金物。
【請求項３】
前記ベース板部は、前記基礎コンクリートに固定するアンカーボルトが貫通する少なくとも１つ以上の長孔を設けたことを特徴とする請求項１又は２に記載の擁壁型枠の固定金物。
【請求項４】
前記ベース板部と前記押え板部の側辺に接続する一対の側板部を設けたことを特徴とする請求項１ないし３のいずれか１項に記載の擁壁型枠の固定金物。
【発明の詳細な説明】
【技術分野】
【０００１】
本発明は、基礎コンクリート上に擁壁をコンクリート打設する際に用いる擁壁型枠の固定金物に関する。
【背景技術】
【０００２】
一般に土壌の横圧を受け止める擁壁は、上部よりも下部の壁厚を厚くしている。この擁壁を設置する場合、コンクリート打設時に側圧・浮力によって擁壁型枠が浮き上がるため、型枠の足元（下部）が開いて隙間が生じてしまう。そうするとこの隙間からコンクリートが枠外へ流出し、擁壁型枠、セパレーターが破損するおそれがあった。また、施工において急速な打ち込み、型枠の締固め不足による型枠のハラミによって、斫り作業が発生する懸念もあった。
【０００３】
このような擁壁型枠の浮き上がりを防止するため、従来、図３に示すようなパイプサポートを用いていた。図示のように、擁壁型枠１を設置した後、複数のばた材２を格子状に配置して擁壁型枠１を外側から補強している。さらに、ばた材２と基礎コンクリート３の間で斜めにパイプサポート４を設置している。
特許文献１には、パイプサポートを基礎コンクリート上で支持する支持金具が開示されている。
【先行技術文献】
【特許文献】
【０００４】
【特許文献１】特開２０１３−７２００号公報
【発明の概要】
【発明が解決しようとする課題】
【０００５】
土木等の屋外に設置される擁壁では擁壁型枠の足元のばた材の間隔を密にしたり、パイプサポートを水平に近い状態で固定したりして、擁壁型枠の強度を持たせて、型枠の浮き上がりを防止している。
しかし、既存建物の基礎下などに新たに設置する擁壁では、既存設備によって擁壁内側の作業スペースが限定されている。パイプサポートを多数設置すると設置スペースが広くなり他の作業スペースが確保できなくなってしまう。また、長尺のパイプサポートに作業員が躓いて転倒するなどの危険があり、十分な安全性を確保できないという問題が生じていた。
【０００６】
そこで本発明は、上記従来技術の問題点に鑑み、擁壁のコンクリート打設の際、擁壁型枠の浮き上がり等の不具合を防止する擁壁型枠の固定金物を提供することを目的としている。
【課題を解決するための手段】
【０００７】
上記課題を解決するための第１の手段として、本発明は、基礎コンクリートに固定可能なベース板部と、前記ベース板部の一端から前記基礎コンクリート上に打設する擁壁の擁壁型枠と対向するように延出して前記擁壁型枠に取り付けたばた材に当接させて、前記擁壁型枠との間で前記ばた材を斜め上方から挟む押え板部と、を備えたことを特徴とする擁壁型枠の固定金物を提供することにある。
【０００８】
上記課題を解決するための第２の手段として、本発明は、前記第１の手段において、前記ベース板部と前記押え板部の間の成す角を鈍角にしていることを特徴とする擁壁型枠の固定金物を提供することにある。
【０００９】
上記課題を解決するための第３の手段として、本発明は、前記第１又は第２の手段において、前記ベース板部は、前記基礎コンクリートに固定するアンカーボルトが貫通する少なくとも１つ以上の長孔を設けたことを特徴とする擁壁型枠の固定金物を提供することにある。
【００１０】
上記課題を解決するための第４の手段として、本発明は、前記第１ないし第３のいずれかの手段において、前記ベース板部と前記押え板部の側辺に接続する一対の側板部を設けたことを特徴とする擁壁型枠の固定金物を提供することにある。
【発明の効果】
【００１１】
上記第１の手段によれば、コンクリート打設時において擁壁型枠に作用する側圧・浮力によって擁壁型枠が浮き上がることがなく、擁壁型枠の取付位置の精度を高めることができる。
また、機械式アンカーなどを用いた固定によって擁壁型枠の固定金物を容易に取り付けることができる。
さらに、従来のパイプサポートの取り付けが不要で設置スペースが少なくなり、作業スペースを確保できると共に、作業者がパイプサポートに躓き転倒するなどの危険がなくなり作業の安全性を確保できる。作業スペースを十分に確保することができない既存建物に新たに擁壁を設置する際に特に有効となる。
【００１２】
上記第２の手段によれば、擁壁型枠のばた材を押え板部と擁壁型枠の間で斜め上方から挟んで位置ズレすることがなく、側圧・浮力によって擁壁型枠が浮き上がることを効果的に防止できる。
【００１３】
上記第３の手段によれば、固定金物を基礎コンクリートに固定でき、側圧・浮力によって擁壁型枠が浮き上がることを防止できる。また孔形状を長孔状に形成しているため、擁壁型枠に対する固定金物の取付位置を微調整することができる。
【００１４】
上記第４の手段によれば、側板部で固定金物の強度を高めて、容易に変形することがなくなり、側圧・浮力によって擁壁型枠が浮き上がることを効果的に防止できる。
【図面の簡単な説明】
【００１５】
【図１】本発明の擁壁型枠の固定金物の説明図であり、（Ａ）は斜視図、（Ｂ）は平面図、（Ｃ）は側面図を示す。
【図２】本発明の擁壁型枠の固定金物を用いた取付作業の説明図である。
【図３】従来の擁壁型枠を支持するパイプサポートの説明図である。
【発明を実施するための形態】
【００１６】
本発明の擁壁型枠の固定金物の実施形態を添付の図面を参照しながら、以下詳細に説明する。
【００１７】
［擁壁型枠の固定金物１０］
図１は、擁壁型枠の固定金物の説明図であり、（Ａ）は斜視図、（Ｂ）は平面図、（Ｃ）は側面図を示す。
図示のように、擁壁型枠の固定金物１０は、ベース板部２０と、押え板部３０を主な基本構成としている。
【００１８】
ベース板部２０は、基礎コンクリート上に固定可能な平板部材である。ベース板部２０は、所定の剛性を備え、加工性の良い鋼材などを用いることができる。ベース板部２０は主面に少なくとも１つ以上の長孔２２を設けている。本実施形態のベース板部２０は、２つの長孔２２を設けている。この長孔２２は、長手方向が後述する押え板部３０と接続する辺と直交する方向となるように形成している。このような構成の長孔によれば、固定金物を機械式アンカー２４で基礎コンクリート上に固定する際の取付位置を微調整することができる。
【００１９】
押え板部３０は、基礎コンクリート上に配置したベース板部２０の主面に対して、ベース板部２０の一端から基礎コンクリート上に打設する擁壁の擁壁型枠と対向するように延出して擁壁型枠の下端に当接する平板部材である。押え板部３０は、ベース板部２０と同質材料を用いることができる。
本実施形態の押え板部３０とベース板部２０は溶接で接合している。ベース板部２０と押え板部３０の間の成す角は、鈍角（一例として１０８度）となるように設定している。このような構成により、擁壁型枠のばた材を押え板部３０と擁壁型枠の間で斜め上方から挟んで位置ズレすることがなく、側圧・浮力によって擁壁型枠が浮き上がることを効果的に防止できる。
なお、擁壁型枠の固定金物１０は、所定厚みで剛性を備えた平板を折り曲げて、ベース板部２０と押え板部３０の接続部分を形成し得る構成を採用することもできる。
【００２０】
ベース板部２０と押え板部３０の側辺には側板部４０を設けている。側板部４０は、ベース板部２０と押え板部３０と同質材料を用いることができる。側板部４０は、側面視でほぼ三角形状であり、２辺がベース板部２０と押え板部３０に接続している。なお、ベース板部２０及び押え板部３０の構成で十分な強度が確保できる場合には、側辺部を省略することができる。
【００２１】
［作用］
上記構成による擁壁型枠の固定金物１０の作用について以下説明する。図２は本発明の擁壁型枠の固定金物を用いた取付作業の説明図である。
まず、基礎コンクリート３上に擁壁型枠１を設置する。この擁壁型枠１にばた材２を格子状に取り付ける（ステップ１）。
【００２２】
基礎コンクリート３上に機械式アンカーの取付穴２６を形成する（ステップ２）。
擁壁型枠の固定金物２０を取り付ける（ステップ３）。ベース板部２０の長孔２２を取付穴上に合わせる。そして機械式アンカー２４を長孔及び挿入穴に挿入した後、押え板部３０をばた材２に当接させて、擁壁型枠１と押え板部３０の間でばた材２を斜め上方から挟むように設置して固定する。
【００２３】
コンクリートを打設する（ステップ４）。
コンクリート打設後、擁壁型枠の固定金物１０、機械式アンカー２４、擁壁型枠１、ばた材２を取り外して、基礎コンクリート３上に擁壁５が完成する（ステップ５）。
【００２４】
このような本発明の擁壁型枠の固定金物によれば、側圧・浮力によって最も位置ずれする擁壁型枠の下端部分を押えているため、擁壁型枠が浮き上がることがなく、擁壁型枠の取付位置の精度を高めることができる。
【産業上の利用可能性】
【００２５】
本発明の擁壁型枠の固定金物は、特に土木・建設分野において産業上利用することができる。
【符号の説明】
【００２６】
１………擁壁型枠、２………ばた材、３………基礎コンクリート、４………パイプサポート、５………擁壁、１０………擁壁型枠の固定金物、２０………ベース板部、２２………長孔、２４………機械式アンカー、２６………取付穴、３０………押え板部、４０………側板部。
【図１】
0006604650.tif 000002
【図２】
0006604650.tif 000003
【図３】
0006604650.tif 000004